(57)【要約】【課題】原稿のサイズに係わらず、下向きの画像を上側から適正な状態で透視し、高い位置決め精度で原稿を読取面上に位置決めできる画像読取装置を提供する。【解決手段】画像読取装置１は、上面に原稿を載置する透光性の読取面３が設けられた筐体２と、筐体内を移動して原稿の画像を走査する走査部４と、画像を読取るＣＣＤ１２を備える。画像を下方から照らすＬＥＤ２２を備えた光源２０が、筐体の側面４の内面に、走査部の移動方向と平行に配置される。読取面上で原稿が存在する部分に対応するＬＥＤのみが発光する。真下でなく、横方向からの照明なので眩しくなく、画像を下向きとした原稿の全面を上側から透視でき、高い精度で原稿を読取面上に位置決めできる。【選択図】図３
2011035545.tif 000002
【特許請求の範囲】
【請求項１】
筐体と、前記筐体の上面に設けられて画像が下向きとなるように原稿が載置される透光性の読取面と、前記筐体の内部に設けられて前記読取面に載置された原稿の画像を走査する走査部と、前記走査部によって走査された画像を読み取る読取手段とを備えた画像読取装置において、
前記読取面に載置した原稿の画像を上側から透過して視認するために画像を下方から照らす光源を、前記筐体の内側面に配置したことを特徴とする画像読取装置。
【請求項２】
前記光源は、前記走査部の移動方向と平行に配置された複数の発光素子を備えたことを特徴とする請求項１記載の画像読取装置。
【請求項３】
異なる位置に配置されて前記読取面に載置された原稿の存在を検知する複数の検知手段と、前記検知手段の検知結果に基づいて、前記光源の発光素子のうち、前記原稿が存在する位置に対応する位置にある発光素子のみを発光させる制御手段と、を備えたことを特徴とする請求項２記載の画像読取装置。
【請求項４】
前記光源の前記各発光素子からの光を拡散させて照射させる光量調整手段を前記光源に設けたことを特徴とする請求項１乃至４のいずれか一つに記載の画像読取装置。
【発明の詳細な説明】
【技術分野】
【０００１】
本発明は、透明な読取面の上に画像を下にして原稿を載置し、この読取面の下方から画像を走査して読み取る画像読取装置に係り、特に原稿のサイズに係わらず、下向きの画像を上側から適正な状態で視認して高い位置決め精度で読取面上に原稿を位置決めすることができる画像読取装置に関するものである。
【背景技術】
【０００２】
下記特許文献１には、フラットベッドタイプの画像読取装置が開示されている。このフラットベッドタイプの画像読取装置は、装置の本体である筐体の上面に、透明板である読取面が設けられており、その上に原稿を平置き状態で画像を下にして載置するようになっている。そして筐体の内部には、所定方向に沿って往復移動可能な走査部が設けられており、この走査部が読取面の下方から画面を走査し、これを読取手段が読み取って画像データを生成するようになっている。
【０００３】
このような画像読取装置において、読取面の上に原稿を載置する場合には、上述した通り画像を下向きにセットする必要があるため、操作者は、原稿の裏面（画像と反対側の上側の面）しか見ることができない。そのため、下面となる原稿の画像を基準に合わせて所定の位置に正確に位置決めする必要がある場合には、その作業は困難であった。
【０００４】
例えば、縦横の罫線を透明シート上に形成したゲージシートを位置決め基準として読取面の上に配置し、そのゲージシート上に画像を下向きにして原稿を載せ、ゲージシート上の所定の位置に画像を高精度で位置決めするように原稿を配置することにより、読取面内の常に同一の位置で画像を読み取らせるような画像読取装置の使用形態がある。このような場合には、読取面の下方から光を照射してゲージシートと共に裏面の画像を透かして視認できるようにしないと、位置決め作業が困難になる。
【０００５】
そこで、特許文献１に記載の画像読取装置では、このような使用形態に適合するように、読取面の下方にあたる筐体の底部の一側方に丸形の蛍光灯を設置し、原稿を下方から照射する専用のバックライトとして使用できるようにしている。読取面に原稿を下向きに配置しても、その下方で蛍光灯を点灯すれば原稿が透けて画像が上方から見えるので、原稿乃至画像の位置決めに便利である。
【０００６】
また、特許文献１には、上述した専用のバックライトとしての蛍光灯以外に、原稿の画像を読み取るための照明をバックライトとして使用する例も記載されている。バックライトが必要になるのは、読取面に原稿を載置・位置決めする際であり、その段階では読み取り動作は行なわないので、読み取り用の照明を、位置決め用のバックライトとして使用することができる。
【先行技術文献】
【特許文献】
【０００７】
【特許文献１】特開平１０−１２６５８０号公報
【発明の概要】
【発明が解決しようとする課題】
【０００８】
特許文献１の画像読取装置では、バックライトである丸形の蛍光灯を、筐体の底部の一側方に偏った位置に設置していたため、この蛍光灯から遠い位置では原稿に十分な光量が到達せず、原稿の下面の画像を表側から透かして見ることが困難であった。また、逆に、蛍光灯に近接した部分、特に蛍光灯の真上では、原稿を透過して見た場合にも光が強く、画像を透かして見る用途には眩しすぎるという問題があった。
【０００９】
さらに、特許文献１の画像読取装置において、原稿の画像を読み取るための照明をバックライトとして使用した例によれば、この照明は原稿の読取のために副走査方向に移動しながら原稿に光を照射する構造であるため、その照射範囲は狭く、原稿サイズによっては画像の全体を一度に照らすことができなかった。
【００１０】
図８は、特許文献１の画像読取装置のように、照明装置を移動させながら原稿の画像を走査するタイプの画像読取装置において、照明装置を副走査方向（スキャン方向）に移動しながら、副走査方向のある特定の位置で光を照射した場合の読取面における照度を表したものである。この図から分かるように、原稿の画像を読み取るために副走査方向に移動する照明では、一度に照らすことができるのは、副走査方向についての幅が狭い主走査方向に沿った帯状の領域だけである。
【００１１】
従って、例えば、Ａ３等の大きいサイズの原稿の場合には、原稿読取用の照明では先端と後端を同時に照射することができず、走査手段で移動させながら原稿の全領域を照射する必要がある。しかし、走査によって原稿の全領域を照射したとしても、画像の全体を一度に視認できない可能性もあり、画像を透かし見て位置決めするために適した状況とはいえなかった。
【００１２】
本発明は、以上の課題に鑑みてなされたものであり、読取面の上に画像を下にして原稿を載置し、この読取面の下方から画像を走査して読み取るタイプの画像読取装置において、原稿のサイズに係わらず、下向きの画像を上側から適正な状態で透視することにより、高い位置決め精度で原稿を読取面上に位置決めすることができる画像読取装置を提供することを目的としている。
【課題を解決するための手段】
【００１３】
請求項１に記載された画像読取装置は、
筐体と、前記筐体の上面に設けられて画像が下向きとなるように原稿が載置される透光性の読取面と、前記筐体の内部に設けられて前記読取面に載置された原稿の画像を走査する走査部と、前記走査部によって走査された画像を読み取る読取手段とを備えた画像読取装置において、
前記読取面に載置した原稿の画像を上側から透過して視認するために画像を下方から照らす光源を、前記筐体の内側面に配置したことを特徴としている。
【００１４】
請求項２に記載された画像読取装置は、請求項１記載の画像読取装置において、
前記光源は、前記走査部の移動方向と平行に配置された複数の発光素子を備えたことを特徴としている。
【００１５】
請求項３に記載された画像読取装置は、請求項２記載の画像読取装置において、
異なる位置に配置されて前記読取面に載置された原稿の存在を検知する複数の検知手段と、前記検知手段の検知結果に基づいて、前記光源の発光素子のうち、前記原稿が存在する位置に対応する位置にある発光素子のみを発光させる制御手段と、を備えたことを特徴としている。
【００１６】
請求項４に記載された画像読取装置は、請求項１乃至４のいずれか一つに記載の画像読取装置において、
前記光源の前記各発光素子からの光を拡散させて照射させる光量調整手段を前記光源に設けたことを特徴としている。
【発明の効果】
【００１７】
請求項１に記載された画像読取装置によれば、読取面の上に画像を下にして原稿を載置し、この読取面の下方から画像を走査して読み取るタイプの画像読取装置において、画像を下方から照らす光源を筐体の内側面に配置する構成としたので、原稿のサイズに対応して原稿の全体に光を照射しうるような光源の配置が可能となり、さらに筐体の内側面に設けられた光源からの光は直接原稿に照射されないので観察時に眩しくない。このため、観察者は、原稿のサイズに係わらず、下向きの画像を上側から適正な状態で透視することができ、高い位置決め精度で原稿を読取面上に位置決めすることができる。
【００１８】
請求項２に記載された画像読取装置によれば、請求項１記載の画像読取装置において、さらに光源が備える複数の発光素子が走査部の移動方向と平行に並んでいるため、走査部の移動の障害とならない配置で筐体の内側面に発光素子を設けることができ、原稿のサイズに対応する走査部の走査領域の近傍に配置された発光素子を発光させることによって、当該原稿に必要な範囲で光を照射することができる。
【００１９】
請求項３に記載された画像読取装置によれば、請求項２記載の画像読取装置において、さらに原稿を読取面に配置した際に、複数の検知手段が各々原稿の有無を検知し、制御手段が各検知手段の検知結果に基づいて原稿の配置・位置乃至サイズを検出するので、当該原稿が存在している位置に対応する位置にある発光素子のみを発光させることにより、必要最小限の電力で原稿の全体に対して光を照射することができる。
【００２０】
請求項４に記載された画像読取装置によれば、請求項１乃至４のいずれか一つに記載の画像読取装置において、さらに光源に光量調整手段を設けたので、光源の各発光素子からの光が拡散して照射されるため、下向きの画像を上側から透視する際に照射された光が均一化されて画像の視認がより容易になる。
【図面の簡単な説明】
【００２１】
【図１】第１実施形態の画像読取装置の斜視図である。
【図２】第１実施形態の画像読取装置を走査部の走査方向と直交する方向に切断した断面図、すなわち同装置を図１中に示した線Ａ−Ａを含む鉛直な面で切断して図１中矢印方向から見た断面図である。
【図３】第１実施形態の画像読取装置を走査部の走査方向と平行に切断した断面図、すなわち同装置を図１中に示した線Ｂ−Ｂを含む鉛直な面で切断して図１中矢印方向から見た断面図である。
【図４】第１実施形態の画像読取装置の制御ブロック図である。
【図５】（ａ）は第１実施形態の画像読取装置においてＡ３の原稿をセットした場合の光源の点灯状況を示す図、（ｂ）は（ａ）における読取面における照度を示す図である。
【図６】（ａ）は第１実施形態の画像読取装置においてＡ４の原稿をセットした場合の光源の点灯状況を示す図、（ｂ）は（ａ）における読取面における照度を示す図である。
【図７】第２実施形態の画像読取装置を走査部の走査方向と直交する切断面で切断した断面図である。
【図８】（ａ）は従来例の画像読取装置においてＡ３の原稿をセットした場合の走査用光源の点灯状況を示す図、（ｂ）は（ａ）における読取面における照度を示す図である。
【発明を実施するための形態】
【００２２】
１．第１実施形態（第１例、図１〜図６）
図１〜図６を参照して第１実施形態に係る画像読取装置１について説明する。
まず、図１〜図４を参照して本実施形態の画像読取装置１の構成を説明する。
図１〜図３に示すように、本実施形態の画像読取装置１は、各種構成を内部に収納するための本体として、直方体形状の筐体２を有している。この筐体２の上面は矩形状に開口した窓となっており、この窓には透光性の板体が取り付けられて原稿の読取面３を構成している。原稿は、この読取面３の上に、画像が下向きとなるように載置される。
【００２３】
図２及び図３に示すように、筐体２の内部には、読取面３に載置された原稿の画像を走査するための走査部４が移動自在に設けられている。なお、図２において紙面に垂直な方向が走査部４の移動方向であり、図１に示した線Ｂ−Ｂに平行な方向である。また、図３において紙面に垂直な方向が走査部４の移動方向と直交する方向であり、図１に示した線Ａ−Ａに平行な方向である。
【００２４】
走査部４の構造を図２及び図３を参照してより具体的に説明すると、筐体２の２対の対向する側面のうち、長い方の一対の側面５，５の各内面に、断面略コ字形の一対のレール６，６が溝側を内向きにして各々取り付けられている。このレール６の上段には走査部４としての第１キャリッジ４ａがレール６に沿って移動可能に取り付けられており、前記レール６の下段には走査部４としての第２キャリッジ４ｂがレール６に沿って移動可能に取り付けられている。第１キャリッジ４ａには、原稿を照らす光源としてのランプ７と、ランプ７からの光を反射して読取面３越しに原稿の画像に照射する反射板８と、読取面３を介して原稿の画像から反射してきた光を第２キャリッジ４ｂに反射する第１ミラー９を有している。ランプ７から出た光は、原稿の画像に直接照射されるとともに、第１ミラー９で反射して原稿の画像に間接的に照射され、原稿の画像で反射して第１ミラー９に進む。第２キャリッジ４ｂには、第１キャリッジ４ａの第１ミラー９から来た光を反射する第２ミラー１０と、第２ミラー１０からの光を反射して読取手段としてのＣＣＤ１２に送る第３ミラー１１を有している。
【００２５】
第１キャリッジ４ａは、図１に例示したモータのようなキャリッジ駆動手段２５によって、図３に示す筐体２の左側の一端部である待機位置から、筐体２の右側の他端部まで、読取面３の全領域に沿って移動することができる。第１キャリッジ４ａの移動に伴い、第２キャリッジ４ｂは、第１キャリッジ４ａに連動して前記待機位置から筐体２の略中央部まで移動することができる。
【００２６】
図３に示すように、読取手段としてのＣＣＤ１２は、待機位置とは反対側である筐体２の他端部の底部に設置されたＣＣＤ基板１４に取り付けられている。ＣＣＤ１２は、第２キャリッジ４ｂから来た光をレンズ１３で集光して受け取り、電気信号に変換することができる。
【００２７】
図３に示すように、ＣＣＤ基板１４にはＩＣ等の制御手段１５が設けられている。図４に示すように、制御手段１５は、ＣＣＤ１２からの電気信号に基づいて画像データを生成し、これを保存して必要に応じて出力できるようになっている。また、図４に示すように、制御手段１５は、ＣＣＤ１２で原稿の画像を読み取るために、キャリッジ駆動手段２５を制御して第１キャリッジ４ａ及び第２キャリッジ４ｂを前述したように原稿の画像に沿って移動させることができる。
【００２８】
読取面３に載置した原稿の画像を上側から透過して視認するためには、読取面３の下方から画像を照らす光源が必要であるが、本実施形態では、図１〜図３に示すように、筐体２の長手方向に沿う一対の側面５，５の内面側、すなわち走査部４の移動方向に平行な一対の側面５，５の各内面側に、それぞれ光源２０，２０を設けている。図２及び図３に示すように、この光源２０は、筐体２の長手方向乃至走査部４の移動方向に平行な長矩形状の基板２１と、当該基板２１上に長手方向に沿って所定間隔で配置された発光素子である複数のＬＥＤ２２を有している。基板２１は、筐体２の側面のうち、走査部４の移動方向に平行な側面５，５の各内面に互いに平行に取り付けられており、基板２１に設けられた各ＬＥＤ２２は、走査部４の移動方向に直交する水平方向に沿って筐体２の内側に向けて光を照射するようになっている。
【００２９】
これらのＬＥＤ２２は、読取面３の上に載置された原稿のサイズ乃至読取面３上に配置された原稿の位置に応じて、当該原稿を照らすのに必要なものだけを点灯することができるようになっている。具体的な一構成例を説明すれば、図５乃至図６の各（ａ）図に模式的に示すように、読取面３の下方の筐体２内の所定位置に、走査部４の移動方向に沿って複数個の検知手段２３を所定間隔で上向きに設けておき、検知手段２３の各位置において上方に原稿が存在するか否かを検知できるようにする。
【００３０】
図４に示すように、各検知手段２３の検知結果は、前記制御手段１５に入力される。制御手段１５は、前記検知結果に基づいて原稿が存在する位置乃至領域を判断し、又はこれから原稿のサイズを判断して、その判断結果に基づいて光源２０のＬＥＤ２２のうち原稿に近接した位置にあるＬＥＤ２２のみを発光させるように光源２０を制御する。
【００３１】
また、図示はしないが、筐体２の上面には、圧板と呼ばれる蓋板が開閉自在に設けられている。この圧板の開閉状態は図示しない検出手段で検出されて制御手段１５に入力されるようになっている。そして制御手段１５は、検出手段の検出結果から圧板が開いていると判断し、かつ上述したように検知手段２３が原稿を検知していると判断した場合にのみ、ＬＥＤ２２が点灯されるように光源２０の制御を行なう。
【００３２】
圧板が開いていて読取面３に原稿を載置できる状態であっても、実際に読取面３に原稿が載置されていることを検知しなければ制御手段１５はＬＥＤ２２を点灯しない。また、読取面３に原稿が載置されていても、圧板が閉まっていれば制御手段１５はＬＥＤ２２を点灯しない。すなわち、制御手段１５がバックライトとしての光源２０の点灯を許すのは、読取面３の上で原稿の位置決め操作を行なうために光源２０の点灯が必要となる状態、すなわち読取面３に原稿があり、かつ圧板が開放されている場合のみである。
【００３３】
次に、本実施形態の画像読取装置１において、ゲージシートを利用して行なう原稿の位置決め工程について説明する。
縦横の罫線を透明シート上に形成したゲージシートを読取面３の上に配置する。そのゲージシートの上に、画像を下向きにして原稿を載せ、所定の位置に仮に位置決めする。
【００３４】
原稿が仮に位置決めされると、所定のタイミングで複数の検知手段２３が作動し、原稿を検知した検知手段２３が検知信号を制御手段１５に出力する。制御手段１５は検知結果に基づいて原稿が存在する位置乃至領域を判断し、その判断結果に基づいて、光源２０が有する複数のＬＥＤ２２のうち、仮に位置決めされた原稿が存在する範囲に近接した位置にあるＬＥＤ２２だけを発光させる。
【００３５】
例えば、図５（ａ）に示すように、読取面３にＡ３の原稿を載置した場合には、Ａ３の範囲を照らす位置にあるＬＥＤ２２が選択されて点灯し、その結果、図５（ｂ）に示すように読取面３に載置されたＡ３の原稿の範囲が概ね一定の適当な照度で照らされる。操作者は原稿を適切な状態で透視して画像を確実に視認することができる。
【００３６】
また、図６（ａ）に示すように、読取面３にＡ４の原稿を載置した場合には、Ａ４の範囲を照らす位置にあるＬＥＤ２２が選択されて点灯し、その結果、図５（ｂ）に示すように読取面３に載置されたＡ４の原稿の範囲が概ね一定の適当な照度で照らされる。操作者は原稿を適切な状態で透視して画像を確実に視認することができる。
【００３７】
このように本実施形態によれば、必要な範囲のＬＥＤ２２だけを点灯することとしたので、原稿のサイズに係わらず、原稿の全域を同時に均一に照らすことができ、裏面の画像を適切な状態で視認できる。また、原稿が存在しない部分のＬＥＤ２２を点灯しないので、操作者は必要のない過剰な明るさを感じることがない。さらに、必要なＬＥＤ２２だけが発光するので、電力の無駄がない。
【００３８】
また、本実施形態によれば、光源２０を筐体２の側面５の内側に配置したので、底面に配置する場合に比べて照射面積を広くとることができる。また、筐体２の側面５の内側に配置されたＬＥＤ２２は原稿を直接照らさず、光を、原稿に平行な水平方向に沿って原稿の範囲外から範囲内に向けて照射する。従って、その光は操作者の目に直接入射することがなく、筐体２内で反射して間接光のような散乱した状態となり、観察しやすい均一な明るさで原稿の全体を照らすこととなる。
【００３９】
従って、操作者は、眩しさを感じることなく、原稿の画像の全体を透視しながら、ゲージとの位置関係を見定めつつ原稿の位置を修正し、読取面３の上に配置したゲージシートに対する原稿の位置を所期の正しい位置に設定することができる。
【００４０】
最初に仮に位置決めした位置が、正規の位置からかなりずれており、上記のように修正した結果、原稿の位置が大きく移動した場合には、新たに設定された位置に応じて発光するＬＥＤ２２が変わり、新たに設定された位置に近接したＬＥＤ２２だけが発光するので、電力の無駄がなく、新たな位置に設定された原稿の全体が適切に照明されるので位置の修正を的確に行なうことができる。
【００４１】
原稿の位置を所期の位置に正しく設定した後、前述した圧板で原稿を覆って読取面３を閉止すれば、光源２０のＬＥＤ２２は消灯し、次工程である走査部４による画像の走査と、ＣＣＤ１２による画像の読取を待つ状態となる。
【００４２】
なお、本実施形態では検知手段２３等によって原稿の位置やサイズを検出し、点灯するＬＥＤ２２を決定していたが、原稿の位置やサイズを検出する検知手段２３を設けない場合には、図示しない手動操作によるスイッチの切替等により必要なＬＥＤ２２だけを点灯させるようにしてもよい。
【００４３】
２．第２実施形態（第２例、図７）
図７を参照して第２実施形態に係る画像読取装置１’について説明する。
本実施形態の画像読取装置１’の構成は、光源２０以外の部分については第１実施形態と同一である。そこで、ここでは第２実施形態における光源２０の構成上の特徴について説明し、その他の部分については第１実施形態の説明を援用して再度の説明を省略するものとする。
【００４４】
第２実施形態の画像読取装置１’の光源２０は、長矩形状の基板２１と当該基板２１上に配置された複数のＬＥＤ２２を有しており、その形状、構造、筐体２の内側面への取り付け位置等は第１実施形態と略同様である。本実施形態では、図７に示すように、基板２１の前面に光量調節手段としての光拡散シート３０が取り付けられている。光拡散シート３０は樹脂材料等からなり、図７の紙面に垂直な基板２１の長手方向に連続する長手形状の部材であって、その断面形状は図示のように略半球形又はかまぼこ形である。そして、この光拡散シート３０には、垂直方向に平行なスリットが長手方向に所定間隔をおいて形成されている。
【００４５】
一般にＬＥＤは照射範囲が狭く、点に近い狭い面積で発光するため、光が照射されている領域とそれ以外の領域との明暗の差が明確である。このため原稿のバックライトとしては、必ずしも画像を視認しやすいとはいえない場合もある。ＬＥＤ２２の数を増やして配設ピッチを狭くすれば画像は見やすくなるが、コストが増大してしまう。そこで、ＬＥＤ２２のピッチや数は第１実施形態のままで、本実施形態のように光拡散シート３０を使用すれば、ほぼ水平方向に照射された光は散乱され、光が照らす範囲を広げることができる。従って、原稿の全体を、第１実施形態に比べてさらに観察しやすい均一な状態で照らすことができ、原稿の位置決め操作はさらにやりやすくなる。
【００４６】
ＬＥＤ２２と光拡散シート３０の間隔が近すぎると、光を均一な面発光に近い状態にしにくくなる。光拡散シート３０によって上述したような効果を得るためには、ＬＥＤ２２と光拡散シート３０の間隔を適当に設定することが必要であり、具体的には６ｍｍ程度以上離す必要があり、本実施形態では１０ｍｍ程度に設定している。
【００４７】
本実施形態では、筐体２の２対の対向する側面のうち、長い方の一対の側面５，５の各内面に、それぞれ光拡散シート３０をかぶせた光源２０を設けていたが、これに加えて、光拡散シート３０をかぶせた光源２０を短い方の一対の側面の各内面にも同じ高さで設けるようにしてもよい。このように、スリットを有する２対の光源２０を互いに直交するように配置すると、両光源２０からの光が干渉して読取面３に格子状のパターンが投影されるので、これを前述したゲージシートのような位置決めの目安として利用することができる。
【００４８】
また、ＬＥＤのような点光源に近い発光素子でなく、相対的に広い面で拡散光を発する蛍光灯を発光素子として利用すれば、光拡散シート３０のような光量調整手段を用いなくとも、均一なバックライトとしての光照射機能が得られる。
【００４９】
以上説明した各実施形態では、光源２０を筐体２の最も低い位置に配置したが、読取面３の上に載置した原稿のバックライトとして光源２０を利用するためには、光源２０は少なくとも読取面３よりも下方に配置すればよいので、必ずしも筐体２の底面に近い位置に配置する必要はない。例えば、図２において、第１キャリッジ４ａの移動の障害にならければ、第１キャリッジ４ａと読取面３の間の領域において、側面５の内面に内向きに光源２０を配置することもできる。
【符号の説明】
【００５０】
１，１’…画像読取装置
２…筐体
３…読取面
４…走査部
４ａ…走査部としての第１キャリッジ
４ｂ…走査部としての第２キャリッジ
５…筐体の側面
１２…読取手段としてのＣＣＤ
１５…制御手段
２０…光源
２２…発光素子としてのＬＥＤ
２３…検知手段
３０…光量調整手段としての光拡散シート
【図１】
2011035545.tif 000003
【図２】
2011035545.tif 000004
【図３】
2011035545.tif 000005
【図４】
2011035545.tif 000006
【図５】
2011035545.tif 000007
【図６】
2011035545.tif 000008
【図７】
2011035545.tif 000009
【図８】
2011035545.tif 000010